(57)【要約】【課題】切削台セットが着脱自在な組み立て式氷削機を提供する。【解決手段】  組み立て式氷削機の伝動ベース２は、その底端に軸ロッドを介して基台３が接続され、伝動ベースの下方に回転台が配置され、伝動ベース２と基台３との間には、伝動ベース２の底端に装着され、切削台及び位置規制ベース４２を有する切削台セット４が配置される。切削台の台面上には、切削刃が配置される。位置規制ベース４２は、固定フレーム４２１及び可動フレーム４２２を有し、固定フレーム４２１と可動フレーム４２２とにより収納空間４２３が画成され、固定フレーム４２１は、頂端が伝動ベース２の底端に接続され、底端が位置規制ベース４２上に接続される。切削台の台面上の切削刃４１１が配置されていない側の端部には、固定フレーム４２１の底端の外縁が当接されるストッパ部４１２が設けられる。【選択図】図３
0003175004.tif 000002
【実用新案登録請求の範囲】
【請求項１】
伝動ベースと、基台と、回転台と、切削台セットとを少なくとも備えた組み立て式氷削機であって、
前記伝動ベースは、その底端に軸ロッドを介して基台が接続され、前記伝動ベースの下方に回転台が配置され、前記伝動ベースと前記基台との間には、前記伝動ベースの底端に装着され、切削台及び位置規制ベースを有する切削台セットが配置され、
前記切削台の台面上には、切削刃が配置され、
前記位置規制ベースは、固定フレーム及び可動フレームを有し、前記固定フレームと前記可動フレームとにより収納空間が画成され、前記固定フレームは、頂端が前記伝動ベースの底端に接続され、底端が前記位置規制ベース上に接続されることを特徴とする組み立て式氷削機。
【請求項２】
前記切削台の台面上の前記切削刃が配置されていない側の端部には、前記固定フレームの底端の外縁が当接されるストッパ部が設けられることを特徴とする請求項１に記載の組み立て式氷削機。
【請求項３】
複数のボルトは、前記伝動ベースから前記基台に向かって、前記位置規制ベースの前記固定フレームに長手方向に設けられた複数の透孔と、前記切削台に設けられた透孔とに貫設され、ナットが螺着され、前記可動フレームの端部は、枢着部材により前記固定フレームに枢着されることを特徴とする請求項１に記載の組み立て式氷削機。
【請求項４】
複数のボルトは、前記伝動ベースから前記基台に向かって、前記位置規制ベースの前記固定フレームに長手方向に設けられた透孔と、前記切削台に設けられた透孔とに貫設され、ナットが螺着されることを特徴とする請求項１に記載の組み立て式氷削機。
【請求項５】
前記固定フレーム及び前記可動フレームは、１つ又は２つ以上のフレーム体が組み合わされることを特徴とする請求項１に記載の組み立て式氷削機。
【請求項６】
前記可動フレームの枢着部材が配置された端部と反対の端部には、前記固定フレームに配置されたストッパに係合されるストッパ部材が配置されることを特徴とする請求項１に記載の組み立て式氷削機。
【請求項７】
前記収納空間において、前記固定フレームの一辺と、対向する前記可動フレームの一辺との間の最短距離は、氷柱の最大外径と同一又は最大外径よりわずかに大きいことを特徴とする請求項１に記載の組み立て式氷削機。
【請求項８】
前記収納空間において、前記固定フレームの一辺と、対向する前記可動フレームの一辺との間の最短距離は、前記回転台の最大外径より大きいことを特徴とする請求項１に記載の組み立て式氷削機。
【請求項９】
前記位置規制ベースの前記収納空間の内部は、多角形状又は円形状をなすことを特徴とする請求項１に記載の組み立て式氷削機。
【考案の詳細な説明】
【技術分野】
【０００１】
本考案は、組み立て式氷削機に関するものであり、さらに詳しくは、かき氷の製造用氷削機であって、切削台セットが着脱自在な組み立て式氷削機に関するものである。
【背景技術】
【０００２】
図１及び図２を参照する。図１及び図２に示すように、従来のかき氷製造用氷削機１は、本体１１に基台１２及び切削台１３が設けられている。回転台１４が伝動モータにより駆動されて回転すると、回転台１４と切削台１３との間に置かれた氷柱１５が切削刃１６により切削される。このようにして、かき氷を作ることができるので、ユーザは、夏期の暑気を払うためにもかき氷を楽しむことができる。
【０００３】
一般に、ユーザは、氷柱１５を冷凍庫から取り出して切削台１３上に置いた後、ハンドル１７により回転台１４を下方に移動させ、回転台１４の位置決め爪を氷柱１５上に押圧して位置規制する。これにより、氷柱１５は、回転台１４と共に回転する。
【０００４】
しかし、氷削機１の安定性は、氷柱１５が切削台１３の中心に置かれない場合、悪影響を受け易く、氷柱１５を切削台１３上の中心から外れた位置に置くと、氷削機１を使用するときに揺れ動いて危険である。また、切削刃１６は、受ける応力が不均等になると、使用寿命が短くなる虞がある。さらに、一般にユーザは氷削機１を使用した後、切削台１３を取り外さずに水で洗浄するため、時間がたつと、氷塊が解けた水と、洗浄したときに残留した水とにより、氷削機１の表面が酸化したり細菌が繁殖するなど衛生面で問題が発生する虞もある。
【０００５】
かき氷製造のための氷削機の改良等に関する提案については各種のものがあり、例えば、実用新案登録第３１０７１２３号公報（以下、「特許文献１」という。）には、氷を収容することにより、生ずる氷削機の回転軸の突出を抑制する改良について記載されているが、生じやすい回転の不安定性等の改善策については開示されていない。
【０００６】
また、実用新案登録第３１６７９８４号公報（以下、「特許文献２」という。）により、本考案者が切削台に覗き窓を有する氷削機を提案したが、回転の安定性等について、本考案は、これをさらに改良したものである。
【特許文献１】実用新案登録第３１０７１２３号公報
【特許文献２】実用新案登録第３１６７９８４号公報
【考案の概要】
【考案が解決しようとする課題】
【０００７】
従って、本考案の課題は、切削台の表面に水が残留して酸化し、細菌が繁殖するのを防ぎ、食品の安全及び衛生を確保し、また、切削刃が受ける応力が均等になり、摩損が減って使用寿命を延ばすことができる氷削機を提供することにある。
【課題を解決するための手段】
【０００８】
そこで、本考案者は、前記の本考案の課題を解決するため鋭意検討を重ねた結果、切削台セットを氷削機の伝動ベースから取り外し可能とし、組立て式とすることにより、洗浄が完全に行なうことができるようになり、また、切削刃の受ける力を均等にするために氷塊（柱）の位置規制により前記課題を解決できることに着目し、かかる知見に基いて本考案に想到するに至った。
【０００９】
すなわち、本考案の目的は、切削台セットを氷削機の伝動ベースから取り外して洗浄することにより、切削台表面に水が残留して細菌が繁殖することを防止し、食品の安全及び衛生を確保することにあり、また、氷塊（柱）を位置規制ベースにより、位置規制し、切削台の中心部に正確に配置することにより、切削刃が受ける応力を均等とし摩耗を減少させ使用寿命が長いかき氷製造用の氷削機を提供することにある。
【００１０】
かくして、本考案によれば、
伝動ベースと、基台と、回転台と、切削台セットとを少なくとも備えた組み立て式氷削機であって、
伝動ベースは、その底端に軸ロッドを介して基台が接続され、前記伝動ベースの下方に回転台が配置され、前記伝動ベースと前記基台との間には、前記伝動ベースの底端に装着され、切削台及び位置規制ベースを有する切削台セットが配置され、前記切削台の台面上には、切削刃が配置され、前記位置規制ベースは、固定フレーム及び可動フレームを有し、前記固定フレームと前記可動フレームとにより収納空間が画成され、前記固定フレームは、頂端が前記伝動ベースの底端に接続され、底端が前記位置規制ベース上に接続されることを特徴とする組み立て式氷削機が提供される。
【００１１】
前記切削台の台面上の前記切削刃が配置されていない側の端部には、前記固定フレームの底端の外縁が当接されるストッパ部が設けられることが好ましい。
【００１２】
複数のボルトは、前記伝動ベースから前記基台に向かって、前記位置規制ベースの前記固定フレームに長手方向に設けられた複数の透孔と、前記切削台に設けられた透孔とに貫設され、ナットが螺着され、前記可動フレームの端部は、枢着部材により前記固定フレームに枢着されることが好ましい。
【００１３】
複数のボルトは、前記伝動ベースから前記基台に向かって、前記位置規制ベースの前記固定フレームに長手方向に設けられた透孔と、前記切削台に設けられた透孔とに貫設され、ナットが螺着されることが好ましい。
【００１４】
前記固定フレーム及び前記可動フレームは、１つ又は２つ以上のフレーム体が組み合わされることが好ましい。
【００１５】
前記可動フレームの枢着部材が配置された端部と反対の端部には、前記固定フレームに配置されたストッパに係合されるストッパ部材が配置されることが好ましい。
【００１６】
前記収納空間において、前記固定フレームの一辺と、対向する前記可動フレームの一辺との間の最短距離は、氷柱の最大外径と同一又は最大外径よりわずかに大きいことが好ましい。
【００１７】
前記収納空間において、前記固定フレームの一辺と、対向する前記可動フレームの一辺との間の最短距離は、前記回転台の最大外径より大きいことが好ましい。
【００１８】
前記位置規制ベースの前記収納空間の内部は、多角形状又は円形状をなすことが好ましい。
【考案の効果】
【００１９】
本考案の組み立て式氷削機は、切削台セットを氷削機の伝動ベースから取り外して洗浄することができるため、切削台の表面に水が残留して酸化し、細菌が繁殖するのを防ぎ、食品の安全及び衛生を確保することができる。また、氷柱が位置規制ベースにより位置規制され、切削台の中心部に正確に配置されるため、切削刃が受ける応力が均等になって摩損が減少し使用寿命を延ばすことができる。
【図面の簡単な説明】
【００２０】
【図１】従来の氷削機を示す斜視図である。
【図２】従来の氷削機に氷柱を戴置した状態を示す斜視図である。
【図３】本考案の第１実施形態による組み立て式氷削機を示す分解斜視図である。
【図４】本考案の第１実施形態による組み立て式氷削機を示す斜視図である。
【図５】本考案の第１実施形態による組み立て式氷削機の位置規制ベースを示す斜視図である。
【図６】本考案の第１実施形態による組み立て式氷削機の位置規制ベースを示す斜視図である。
【図７】本考案の第１実施形態による組み立て式氷削機の位置規制ベースを開いた状態を示す斜視図である。
【図８】本考案の第１実施形態による組み立て式氷削機の位置規制ベースを示す斜視図である。
【図９】本考案の第２実施形態による組み立て式氷削機の位置規制ベースを示す分解斜視図である。
【図１０】本考案の第３実施形態による組み立て式氷削機の位置規制ベースを示す分解斜視図である。
【図１１】本考案の第４実施形態による組み立て式氷削機を示す斜視図である。
【考案を実施するための最良の形態】
【００２１】
以下、本考案の実施形態について図面に基づいて具体的に説明する。なお、これによって本考案が限定されるものではない。
【００２２】
（第１実施形態）
図３〜図７を参照する。図３〜図７に示すように、本考案の第１実施形態による組み立て式氷削機の伝動ベース２は、その底端に、軸ロッド２１を介して基台３が接続され、下方に、回転台２２が配置されている。伝動ベース２と基台３との間には、切削台セット４が配置されている。切削台セット４は、切削台４１及び位置規制ベース４２を有する。
【００２３】
切削台４１は、台面上に、切削刃４１１が配置され、切削刃４１１が配置されていない側の端部に、ストッパ部４１２及び透孔４１３が設けられている。
【００２４】
位置規制ベース４２は、固定フレーム４２１及び可動フレーム４２２を有し、固定フレーム４２１及び可動フレーム４２２により、収納空間４２３が画成されている。固定フレーム４２１は、１つ又は２つ以上のフレーム体が組み合わされ、底端が切削台４１のストッパ部４１２に当接されている。固定フレーム４２１は、上部に、複数の透孔４２１１が長手方向に設けられ、端部に、ストッパ４２１２が配置されている。可動フレーム４２２は、１つ又は２つ以上のフレーム体が組み合わされ、一方の端部が、枢着部材４２２１により固定フレーム４２１に枢着され、他方の端部に、ストッパ部材４２２２が配置されている。ストッパ部材４２２２は、固定フレーム４２１のストッパ４２１２に係合されている。複数のボルト４３は、伝動ベース２から基台３に向かって、位置規制ベース４２の固定フレーム４２１に長手方向に設けられた透孔４２１１と、切削台４１の透孔４１３とに貫設され、ナット４３１が螺着されている。
【００２５】
位置規制ベース４２は、切削台４１上に配置されている。固定フレーム４２１の底端の外縁は、切削台４１のストッパ部４１２に当接されている。ボルト４３は、固定フレーム４２１に長手方向に設けられた透孔４２１１と、切削台４１の透孔４１３とに貫設され、ナット４３１が螺着されている。切削台セット４は、伝動ベース２下に装着されている。固定フレーム４２１の端部には、枢着部材４２２１により可動フレーム４２２が枢着されている。可動フレーム４２２のストッパ部材４２２２が、固定フレーム４２１のストッパ４２１２に係合されることにより、収納空間４２３が画成されている。収納空間４２３内において、固定フレーム４２１の一辺と、対向する可動フレーム４２２の一辺との間の最短距離は、氷柱（氷塊）の最大外径と同様又は最大外径よりわずかに大きく、回転台２２の最大外径より大きい。ストッパ部材４２２２がストッパ４２１２から外されると、位置規制が解除され、可動フレーム４２２が枢着部材４２２１を中心として移動され、収納空間４２３が開かれる。氷柱（氷塊）が収納空間４２３内に置かれた後、可動フレーム４２２が枢着部材４２２１を中心として元の位置に移動され、ストッパ部材４２２２がストッパ４２１２に係合されると、氷柱（氷塊）は、収納空間４２３内に位置規制される。このとき、回転台２２がハンドルにより下に移動され、回転台２２の位置決め爪が氷柱（氷塊）に押圧されると、氷柱（氷塊）が位置規制され、位置規制ベース４２内で、回転台２２と共に回転し、切削台４１の切削刃４１１により切削される。氷柱（氷塊）は、回転するとき、収納空間４２３により位置規制されるため（収納空間４２３内において、固定フレーム４２１の一辺と、対向する可動フレーム４２２の一辺との間の最短距離が、氷柱の最大外径と同様又は最大外径よりわずかに大きいため、氷柱の外縁は固定フレーム４２１及び可動フレーム４２２の内縁に当接されて位置規制される）、揺れ動かず、氷削機の安定性及び安全性を維持することができる。収納空間４２３の中心点は、切削台４１の中心に位置する。これにより、氷柱（氷塊）が収納空間４２３内で切削されるとき、切削刃４１１が受ける応力が均等になるため、摩損が減って使用寿命を延ばすことができる。切削動作が終了した後、ナット４３１を回転させてボルト４３から外してから、切削台セット４を伝動ベース２から取り外し、さらに、切削台４１を位置規制ベース４２から取り外して洗浄すると、切削台４１及び位置規制ベース４２内に残った水分、糖分などが酸化したり細菌が繁殖したりしてカキ氷を作るとき、衛生面で悪影響を受けることを防ぐことができる。
【００２６】
また、本考案の第１実施形態による組み立て式氷削機の位置規制ベース４２の収納空間４２３の内部は、多角形状又は円形状をなす。円柱状の氷柱を切削するとき、内部が多角形状をなす位置規制ベース４２の収納空間４２３を用い、四角形の氷塊を切削するとき、内部が円形状をなす位置規制ベース４２の収納空間４２３を用いる。氷柱又は氷塊は、外径が位置規制ベース４２の収納空間４２３の内部に位置規制されるため、切削されるとき揺れ動かない。
【００２７】
図８を参照する。図８に示すように、本考案の第１実施形態による組み立て式氷削機は、位置規制ベース４２の３つのフレーム体からなる固定フレーム４２１と、１つのフレーム体からなる可動フレーム４２２とにより、収納空間４２３が画成されている。
【００２８】
（第２実施形態）
図９を参照する。図９に示すように、本考案の第２実施形態による組み立て式氷削機は、切削台４１のストッパ部４１２上に、透孔４１４が設けられている。ボルト４３は、透孔４１４に貫設され、ナット４３１が螺着されている。これにより、位置規制ベース４２は、伝動ベース２及び切削台４１に位置規制される。
【００２９】
（第３実施形態）
図１０を参照する。図１０に示すように、本考案の第３実施形態による組み立て式氷削機の切削台セット４は、切削台４１、位置規制ベース４２、複数のボルト４３及び上蓋体４４を有する。上蓋体４４は、伝動ベース２の底端に固定され、ストッパ部４４１及び透孔４４２が設けられている。ストッパ部４４１には、位置規制ベース４２の固定フレーム４２１の頂端の外側が当接されている。ボルト４３は、透孔４４２と、固定フレーム４２１に長手方向に設けられた透孔４２１１と、切削台４１の透孔４１３とに順次貫設され、ナット４３１が螺着されている。これにより、切削台セット４は、伝動ベース２下に装着されている。
【００３０】
（第４実施形態）
図１１を参照する。図１１に示すように、本考案の第４実施形態による組み立て式氷削機の位置規制ベース４２は、必要に応じて、回転台２２を中心に回転されて伝動ベース２の底端に装着させることができる。
【００３１】
また、本考案の組み立て式氷削機の位置規制ベース４２は、その他様々な方法で、回転台２２の底端に装着させることができる。
【００３２】
上述したことから理解されるように、本考案の組み立て式氷削機は、伝動ベースとベースとの間に着脱自在に配置される切削台セットにより、位置規制ベースに位置規制された氷柱（氷塊）が、切削されるとき揺れ動かず、安定性及び安全性を維持することができる。さらに、切削動作が終了した後、ナットを回転させてボルトから外し、切削台セットを取り外して洗浄することができるため、品質及び衛生面で優れている。
【００３３】
以上、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００３４】
１  氷削機
２  伝動ベース
３  基台
４  切削台セット
１１  本体
１２  基台
１３  切削台
１４  回転台
１５  氷柱
１６  切削刃
１７  ハンドル
２１  軸ロッド
２２  回転台
４１  切削台
４２  位置規制ベース
４３  ボルト
４４  上蓋体
４１１  切削刃
４１２  ストッパ部
４１３  透孔
４１４  透孔
４２１  固定フレーム
４２２  可動フレーム
４２３  収納空間
４３１  ナット
４４１  ストッパ部
４４２  透孔
４２１１  透孔
４２１２  ストッパ
４２２１  枢着部材
４２２２  ストッパ部材
【図１】
0003175004.tif 000003
【図２】
0003175004.tif 000004
【図３】
0003175004.tif 000005
【図４】
0003175004.tif 000006
【図５】
0003175004.tif 000007
【図６】
0003175004.tif 000008
【図７】
0003175004.tif 000009
【図８】
0003175004.tif 000010
【図９】
0003175004.tif 000011
【図１０】
0003175004.tif 000012
【図１１】
0003175004.tif 000013